(57)【特許請求の範囲】
【請求項１】
複数のアンテナを備え且つ同一周波数チャネル上で複数の信号系列を空間上で多重化して送信すると共に、他局から送信された無線信号を複数のアンテナを用いて受信し前記複数の信号系列に分離して受信処理を行う機能を備えたＭＩＭＯ（Multiple Input Multiple Output）通信が可能な無線通信システムにおいて、
各アンテナ毎に異なる複数種類の既知のパターンの信号を送信する無線パケットに付与して前記複数のアンテナより送信する既知信号送信手段と、
送信された前記異なる複数種類の既知のパターンの信号を複数のアンテナを用いて個別に受信する信号受信手段と、
受信した前記異なる複数種類の既知のパターンの信号の受信状態から他局から自局方向へのリターンリンク上における他局の全てまたは一部のアンテナと自局の各アンテナの間の伝達関数を求めるチャネル推定手段と、
他局の第jアンテナと自局の第iアンテナの間の前記リターンリンクにおける伝達関数をhi,jとした際に、自局のアンテナ番号i毎に他局が無線パケットの送信に用いた全てのアンテナ番号ｊに対して前記伝達関数hi,jの絶対値または絶対値のべき乗値を求め加算する伝達関数加算手段と、
自局の備えるアンテナの本数またはそれ以下の整数N'に対し、N'系統の信号系列を空間上で多重して送信する際に、前記加算値が大きい方からN'本のアンテナを選択するアンテナ選択手段と、
該N'本のアンテナを用いて前記N'系統の信号系列を空間上で多重化して送信する信号送信手段と、
を有することを特徴とする無線通信システム。
【請求項２】
複数のサブキャリアを用いた直交周波数分割多重（OFDM：Orthogonal Frequency Division Multiplexing）変調方式を用い、複数のアンテナを備え且つ同一周波数チャネル上で複数の信号系列を空間上で多重化して送信すると共に、他局から送信された無線信号を複数のアンテナを用いて受信し前記複数の信号系列に分離して受信処理を行う機能を備えたＭＩＭＯ（Multiple Input Multiple Output）通信が可能な前記請求項１記載の無線通信システムにおいて、
前記伝達関数加算手段及びアンテナ選択手段を前記サブキャリア毎に備え、各サブキャリア毎に独立にN本のアンテナから前記加算値が大きい方からN'本のアンテナを選択して用いることを特徴とする無線通信システム。
【請求項３】
複数のアンテナを備え且つ同一周波数チャネル上で複数の信号系列を空間上で多重化して送信すると共に、他局から送信された無線信号を複数のアンテナを用いて受信し前記複数の信号系列に分離して受信処理を行う機能を備えたＭＩＭＯ（Multiple Input Multiple Output）通信が可能な無線通信システムにおける無線通信方法において、
既知信号送信手段により、各アンテナ毎に異なる複数種類の既知のパターンの信号を送信する無線パケットに付与して前記複数のアンテナより送信する第１のステップと、
信号受信手段により、送信された前記異なる複数種類の既知のパターンの信号を複数のアンテナを用いて個別に受信する第２のステップと、
チャネル推定手段により、受信した前記異なる複数種類の既知のパターンの信号の受信状態から他局から自局方向へのリターンリンク上における他局の全てまたは一部のアンテナと自局の各アンテナの間の伝達関数を求める第３のステップと、
伝達関数加算手段により、他局の第jアンテナと自局の第iアンテナの間の前記リターンリンクにおける伝達関数をhi,jとした際に、自局のアンテナ番号i毎に他局が無線パケットの送信に用いた全てのアンテナ番号ｊに対して前記伝達関数hi,jの絶対値または絶対値のべき乗値を求め加算する第４のステップと、
アンテナ選択手段により、自局の備えるアンテナの本数またはそれ以下の整数N'に対し、N'系統の信号系列を空間上で多重して送信する際に、前記加算値が大きい方からN'本のアンテナを選択する第５のステップと、
信号送信手段により、前記N'本のアンテナを用いて前記N'系統の信号系列を空間上で多重化して送信する第６のステップと、
を有することを特徴とする無線通信方法。
【発明の詳細な説明】
【技術分野】
【０００１】
本発明は、複数のアンテナを備え且つ同一周波数チャネル上で複数の信号系列を空間上で多重化して送信すると共に、他局から送信された無線信号を複数のアンテナを用いて受信し前記複数の信号系列に分離して受信処理を行う機能を備えたＭＩＭＯ（Multiple Input Multiple Output）通信が可能な無線通信システムに関する。
【背景技術】
【０００２】
近年、2.4ＧＨz帯または５ＧＨz帯を用いた高速無線アクセスシステムとして、IEEE802.11g規格、IEEE802.11a規格などの普及が目覚しい。これらのシステムでは、最大で５４Ｍbpsの伝送速度を実現しているが、無線ＬＡＮの普及に伴い、更なる伝送速度の高速化が求められている。
そのための技術としては、ＭＩＭＯ（Multiple Input Multiple Output）通信技術が有力である。このＭＩＭＯ通信技術とは、送信局側において複数の送信アンテナから同一チャネル上で異なる独立な信号を送信し、受信局側において同じく複数のアンテナを用いて信号を受信し、各送信アンテナ／受信アンテナ間の伝達関数行列を求め、この行列を用いて受信局側で各アンテナから送信した独立な信号を推定し、データを再生するものである。
【０００３】
ところで、ＭＩＭＯ通信機能を持つ無線通信装置において、最大でＮ多重の信号の送受信機能を備えていたとしても、常に最大のN多重を利用するとは限らない。例えばＮ=３の場合、３系統以上の送信機能を備えることになるが、通信状態が好ましくなく、伝送レートの低い２多重ＭＩＭＯないしは、ＳＩＳＯ（Single Input Single  Output）（多重数Ｎ＝１に相当）通信を行う場合には、３系統のうちの一部のみを用いて通信を行うことになる。例えば、２多重ＭＩＭＯで送信する場合、３系統の中から２系統を選択することになるが、その選び方によって受信側での受信特性は大きく異なる。送信ダイバーシチについて例えば、非特許文献１記載されている。この例では、２本のアンテナから１つの信号を送信する際に、送信側で各系統に位相差をつけて合成する処理を行う。
しかし、この場合にはどのような位相差を付与するかという情報が事前に必要となる。この位相情報は、各アンテナ間の伝達関数情報をもとに算出される。一般に、通信を行う送受信局は、常に一方的に送信を（ないしは受信を）行うのではなく、送受信局の両方の機能を備えることで送信と受信を逐次切り替えて通信を行う。この際、複数のアンテナは送信と受信で共用することが多く、この場合には空間上での伝達関数は、自局から見て送信方向のフォワードリンクと、受信方向となるリターンリンクの間で伝達関数は対称となる。しかし、実際にはアンテナ端からアナログ処理を行う回路内部での処理の影響で、伝達関数には増幅や位相の回転等の変換が加えられ、このために対称性の破れが起き、一方の情報（例えばリターンリンク）から他方（例えばフォワードリンク）を位相情報まで含めて精度良く推定することは容易にはできない。
【非特許文献１】IDC  情報通信シリーズ、服部他編著、「ワイヤレスブロードバンド教科書」、ｐ109“送信ダイバーシチ”
【発明の開示】
【発明が解決しようとする課題】
【０００４】
具体的な例として、ＭＩＭＯ通信が可能な無線通信システムにおいて、送信局がN本のアンテナを備え、受信局がM本のアンテナを備えているとする。そこで、N＞N'であるN'系統の信号を空間上でN'多重することとする。最も理想的な方法は、固有モードＳＤＭ（Space Division Multiplexing）方式と呼ばれる方式である。ここでは、送信局から受信局に対して信号を送信した際の受信局側において観測されるＭＩＭＯチャネルの伝達関数行列H（M行N列）を完全に把握し、この行列のエルミート共役な行列HＨを用いてHH・Hを生成し、このN行N列の行列の固有値の中から大きい方のN'個を選択する。
【０００５】
その固有値に対するN'個の固有ベクトルを各列に割り当てたN行N'列の重み行列Uを用い、N'系統の送信信号t1,t2,…,tN'を成分として持つN'行１列の列ベクトルTxに対し、重み行列Ｕを乗算したU・Txを行列Tx'と変換した後、N行１列の列ベクトルTx'としてN本の送信アンテナから信号を送信する。
しかし、この方式を用いるためには、前述のＭＩＭＯチャネルの伝達関数行列を位相情報を含めて正確に知る必要がある。しかし、一般にはこれは簡単ではない。例えば、フォワードリンクとその逆方向のリターンリンクのＭＩＭＯチャネルの伝達関数行列が完全に対称であれば、一方の伝達関数行列が分かれば、他方はその転置行列として求めることが可能である。この場合、双方向で交互にMIMO通信を行うのであれば、受信の際に求めた伝達関数行列から、次の送信時にアンテナ選択をするために必要となる情報を取得することが可能である。しかし、一般にはこの対称性は成り立たない。
【０００６】
これは、伝達関数行列は、送信局側のハイパワーアンプ（ＨＰＡ）と受信局側でのローノイズアンプ（ＬＮＡ）における振幅の変動量と位相の回転に依存したものとなるのであるが、フォワードリンクとリターンリンクでは、用いられるＨＰＡとＬＮＡの組み合わせが異なるため、単純な転置行列を用いて両者を関係付けることはできない。工業製品としては、ＨＰＡおよびＬＮＡの振幅の増幅率は若干の誤差を許容すればほぼ一定の値とみなすこともできるが、位相の回転量は一定の値とすることはできず、一般にはランダムな値とみなすことができる。
【０００７】
したがって、リターンリンクの情報を用いて固有値や固有ベクトルを推定しても、その推定精度は非常に低いものとなる。この精度の向上のために、送信局側と受信局側とで事前に双方向の伝達関数行列を通知し合い、双方の伝達関数をお互いに換算するための変換量を取得し、これによりキャリブレーションを行う方法も考えられるが、制御が複雑になるという問題が有る。
また、仮にキャリブレーションが行われ、伝達関数行列を求めることができたとしても、特にNが3以上の場合には上述の重み行列Uは単純な公式では求めることができず、多くの演算を要することになる。
さらに、直交周波数分割多重（OFDM：Orthogonal Frequency Division Multiplexing）変調方式を用いる場合には、全てのサブキャリアに対して重み行列Uを求める必要があり、複雑さは増す一方である。
【０００８】
したがって、キャリブレーションや重み行列Uを求めることなしに、受信側における受信特性を良好にするのに、簡単に最適なN'本のアンテナを選択する方法があれば、次善の手段として有効である。
【０００９】
本発明は、このような事情に鑑みてなされたものであり、ＭＩＭＯ多重数に応じて受信側における受信特性を良好にするのに最適な送信アンテナを簡単に選択できる無線通信システムを提供することを目的とする。
【課題を解決するための手段】
【００１０】
上記目的を達成するために請求項１に記載の発明は、複数のアンテナを備え且つ同一周波数チャネル上で複数の信号系列を空間上で多重化して送信すると共に、他局から送信された無線信号を複数のアンテナを用いて受信し前記複数の信号系列に分離して受信処理を行う機能を備えたＭＩＭＯ（Multiple Input Multiple Output）通信が可能な無線通信システムにおいて、各アンテナ毎に異なる複数種類の既知のパターンの信号を送信する無線パケットに付与して前記複数のアンテナより送信する既知信号送信手段と、送信された前記異なる複数種類の既知のパターンの信号を複数のアンテナを用いて個別に受信する信号受信手段と、受信した前記異なる複数種類の既知のパターンの信号の受信状態から他局から自局方向へのリターンリンク上における他局の全てまたは一部のアンテナと自局の各アンテナの間の伝達関数を求めるチャネル推定手段と、他局の第jアンテナと自局の第iアンテナの間の前記リターンリンクにおける伝達関数をhi,jとした際に、自局のアンテナ番号i毎に他局が無線パケットの送信に用いた全てのアンテナ番号ｊに対して前記伝達関数hi,jの絶対値または絶対値のべき乗値を求め加算する伝達関数加算手段と、自局の備えるアンテナの本数またはそれ以下の整数N'に対し、N'系統の信号系列を空間上で多重して送信する際に、前記加算値が大きい方からN'本のアンテナを選択するアンテナ選択手段と、該N'本のアンテナを用いて前記N'系統の信号系列を空間上で多重化して送信する信号送信手段とを有することを特徴とする。
また、上記目的を達成するために請求項２に記載の発明は、複数のサブキャリアを用いた直交周波数分割多重（OFDM：Orthogonal Frequency Division Multiplexing）変調方式を用い、複数のアンテナを備え且つ同一周波数チャネル上で複数の信号系列を空間上で多重化して送信すると共に、他局から送信された無線信号を複数のアンテナを用いて受信し前記複数の信号系列に分離して受信処理を行う機能を備えたＭＩＭＯ（Multiple Input Multiple Output）通信が可能な前記請求項１記載の無線通信システムにおいて、前記伝達関数加算手段及びアンテナ選択手段を前記サブキャリア毎に備え、各サブキャリア毎に独立にN本のアンテナから前記加算値が大きい方からN'本のアンテナを選択して用いることを特徴とする。
またさらに、上記目的を達成するために請求項３に記載の発明は、複数のアンテナを備え且つ同一周波数チャネル上で複数の信号系列を空間上で多重化して送信すると共に、他局から送信された無線信号を複数のアンテナを用いて受信し前記複数の信号系列に分離して受信処理を行う機能を備えたＭＩＭＯ（Multiple Input Multiple Output）通信が可能な無線通信システムにおける無線通信方法において、既知信号送信手段により、各アンテナ毎に異なる複数種類の既知のパターンの信号を送信する無線パケットに付与して前記複数のアンテナより送信する第１のステップと、信号受信手段により、送信された前記異なる複数種類の既知のパターンの信号を複数のアンテナを用いて個別に受信する第２のステップと、チャネル推定手段により、受信した前記異なる複数種類の既知のパターンの信号の受信状態から他局から自局方向へのリターンリンク上における他局の全てまたは一部のアンテナと自局の各アンテナの間の伝達関数を求める第３のステップと、伝達関数加算手段により、他局の第jアンテナと自局の第iアンテナの間の前記リターンリンクにおける伝達関数をhi,jとした際に、自局のアンテナ番号i毎に他局が無線パケットの送信に用いた全てのアンテナ番号ｊに対して前記伝達関数hi,jの絶対値または絶対値のべき乗値を求め加算する第４のステップと、アンテナ選択手段により、自局の備えるアンテナの本数またはそれ以下の整数N'に対し、N'系統の信号系列を空間上で多重して送信する際に、前記加算値が大きい方からN'本のアンテナを選択する第５のステップと、信号送信手段により、前記N'本のアンテナを用いて前記N'系統の信号系列を空間上で多重化して送信する第６のステップとを有することを特徴とする。
【発明の効果】
【００１１】
以上説明したように、本発明によれば、チャネル推定手段により、受信した前記既知のパターンの信号の受信状態から他局から自局方向へのリターンリンク上における他局の全てまたは一部のアンテナと自局の各アンテナの間の伝達関数を求め、伝達関数加算手段により他局の第jアンテナと自局の第iアンテナの間の前記リターンリンクにおける伝達関数をhi,jとした際に、自局のアンテナ番号i毎に他局が無線パケットの送信に用いた全てのアンテナ番号ｊに対して前記伝達関数hi,jの絶対値または絶対値のべき乗値を求め加算し、自局の備えるアンテナの本数またはそれ以下の整数N'に対し、N'系統の信号系列を空間上で多重して送信する際に、アンテナ選択手段により前記加算値が大きい方からN'本のアンテナを選択するようにしたので、送信アンテナの選択を簡易に取得可能な情報をもとに判定できるので、短時間で受信局側で受信特性が良好となる最適な送信アンテナを選択することができる。
【発明を実施するための最良の形態】
【００１２】
以下、本発明の実施形態を、図面を参照して詳細に説明する。
本発明の実施形態の説明に先立ち、従来のＭＩＭＯ通信機能を有する無線通信システムの構成を図３に示す。同図において、無線通信システムは、複数のアンテナ１−１、１−２、１−３と、送信側と受信側を切り替えるＴＤＤスイッチ（ＳＷ）２−１、２−２、２−３と、Ｒx無線部３−１、３−２、３−３と、チャネル推定回路４と、受信信号管理回路５と、信号検出回路６と、データ合成回路７と、伝達関数行列（Ｈ）管理回路８と、ＭＩＭＯ多重管理回路１１と、データ分割回路１２と、プリアンブル付与回路１３−１、１３−２、１３−３と、変調回路１４−１、１４−２、１４−３と、Ｔx無線部１６−１、１６−２、１６−３とを有している。
【００１３】
上記構成において、ＴＤＤスイッチ２−１〜２−３により時分割で図上、上側の送信系と受信系とに切り替えられるようになっている。ＴＤＤスイッチ２−１〜２−３は、送信時のみ送信系に切り替わるように動作する。
受信時には、アンテナ１−１、１−２、１−３はそれぞれ、個別に受信信号を受信する。Ｒx無線部３−１、３−２、３−３を経由して受信した信号は、チャネル推定回路４に入力される。送信側で付与した所定のプリアンブル信号の受信状況から、チャネル推定回路４にて各送信アンテナと受信アンテナとの間の伝達関数を取得する。取得された各伝達関数の情報ｈi,jは、伝達関数（Ｈ）行列管理回路８で伝達関数Ｈとして管理される。
【００１４】
一方、受信信号のうちプリアンブル信号に後続するデータ信号は、１シンボル分ずつ受信信号管理回路５に入力される。受信信号管理回路５では、各アンテナの受信信号（ｒ1,ｒ2,ｒ3）を受信信号ベクトルＲxとして、一旦管理された後、信号検出回路６に入力される。信号検出回路６では、受信信号管理回路５から入力された受信信号（ｒ1,ｒ2,ｒ3）と伝達関数行列管理回路８から入力された伝達関数Ｈから送信信号ベクトルを推定し、データ合成回路７に出力する。
データ合成回路７では、信号検出回路６により全シンボル分に渡り復調されたデータは、各系統毎の信号が適宜合成されてもとのデータが再生され、出力される。
【００１５】
これに対して、送信時には、伝達関数行列管理回路で管理する伝達関数行列Ｈに基づいてＭＩＭＯ多重数管理回路１１はＭＩＭＯ多重数を決定する。ここで、送信系で何らかの条件判断でＭＩＭＯ多重数を送信アンテナ数（本実施形態では３本の例を示している。）以下の多重数で運用される場合がある。例えば、ＭＩＭＯ多重数管理回路１１によりＭＩＭＯ多重数が“２”と判定された場合には、その判定出力に基づいてデータ分割回路１２は、入力されたデータを＃１系と＃２系の送信系統に分離して送出する。すなわち、＃１系の送信系統のデータは、プリアンブル付与回路１３−１に入力され、プリアンブルが付与された状態で変調回路１４−１に入力される。
【００１６】
変調回路１４−１では所定の変調を施し、変調された信号は、信号変換回路１９に入力される。
同様に、＃２系の送信系統のデータはプリアンブル付与回路１３−２、変調回路１４−２を介して、信号変換回路１９に入力される。信号変換回路１９では、伝達関数行列Ｈ管理回路８より伝達関数行列Ｈが事前に入力され、この伝達関数行列Ｈに対する変換行列Ｕを事前に求めておく。そして、変調回路１４−１及び１４−２から入力された信号ベクトルＴＸに対して変換行列Ｕを作用させ、Ｕ・ＴＸで与えられる変換後の送信信号ベクトルＴＸ’を生成する。例えば、変換行列Ｕが３行２列であれば、変調回路１４−１及び１４−２から入力された２次元の信号は３次元の信号ベクトルに変換され、それらの要素がＴＸ無線部１６−１、１６−２、１６−３に入力される。
ＴＸ無線部１６−１〜１６−３では、各信号が無線周波数に変換され、所定のレベルまで増幅されてＴＤＤスイッチ２−１〜２−３を介してアンテナ１−１〜１−３より送信される。
このように、決定されたＭＩＭＯ多重数に応じてその送信系統に対応したアンテナからデータが送信される。
【００１７】
上記構成の無線通信システムでは、キャリブレーションや重み行列Uを求めるために、事前に送信側で伝達関数行列を正確に知ることが必要であるが、本発明では、キャリブレーションや重み行列Uを求めることなしに、受信側における受信特性を良好にするのに最適なN'本のアンテナを簡易に選択するためのものである。
本発明の原理について図１を参照して説明する。図１は、ＭＩＭＯ通信機能を有する無線通信システムにおける送信局と、受信局との間で通信する際に、送信局側の各アンテナのリターンリンクと、フォワードリンクの状態を示している。
【００１８】
送信局のリターンリンクにおけるＭＩＭＯチャネルの伝達関数行列をR、フォワードリンクでの伝達関数行列をFとする。伝達関数FはM行N列、伝達関数RはN行M列の行列とする。各行列の（j,i）成分をfj,i及びrj,i,とすると、キャリブレーションを行っていないために一般にはお互いの転置成分同士はfj,i≠ri,jである。
しかし、送信側（送信局）および受信側（受信局）の各ＬＮＡの利得が近似的に等しく、且つ送信側および受信側の各ＨＰＡの利得も近似的に等しいと仮定すると、‖fj,i‖≒‖ri,j‖の関係が成り立つ。つまり、各行列は転置した時の対応する成分の絶対値はほぼ等しい。
【００１９】
一方、送信局側の第i送信アンテナから送信した信号が受信局側の全受信アンテナで受信されるトータルの信号強度（受信電力）はΣ(j)‖fj,i‖2で与えられる。したがって、この値が大きくなる方からN'本のアンテナを選択すればよい。さらに、‖fj,i‖≒‖ri,j‖を利用すればΣ(j)‖ri,j‖2の値が大きくなる方からN'本を選べばよく、キャリブレーションを行わない条件でのリターンリンクのＭＩＭＯチャネルの伝達関数行列から、フォワードリンクにおいて最適なN'本の送信アンテナを近似的に選ぶことが可能となる。
【００２０】
なお、リターンリンクのＭＩＭＯチャネルの伝達関数行列の取得方法はいかなる方法を用いても構わない。例えば、最後にデータを受信したＭＩＭＯプリアンブル信号でチャネル推定した結果を記憶しておく方法が最も単純であるが、その他にも色々な方法がある。受信局が基地局（つまり送信局が端末局）である場合には、基地局から他局宛てに送信したＭＩＭＯプリアンブル信号を用いてリバースリンクのチャネル推定をしても良い。
【００２１】
また、送信局がＮ本のアンテナを持ち、受信局がM本のアンテナを持つ場合、Ｍ×Ｎ個の全ての伝達関数行列の要素を知ることが好ましいが、例えば受信局側からＭ＞Ｍ'なるM'本のアンテナを用いた（ＭＩＭＯ）プリアンブル信号が送信された場合、Ｎ×Ｍ'個の成分を用い、行列RをＮ行Ｍ'列の行列として同様の処理を行っても構わない。
【００２２】
これは、少なくとも伝達関数に関する情報の分かっているアンテナに対して限定的に、最適になるように信号を送信するための送信アンテナ選択に相当する。例として、フォワードリンク方向のみで一方的にデータを送信する場合、受信局側からの応答はＡＣＫ信号のみとなることが多い。ＡＣＫ信号は通常、（ＭＩＭＯではなくＳＩＳＯとして）1本のアンテナから送信されるため、ここではＭ'=1として運用することも可能である。
これは、必ずしも受信局の受信特性を良好にするのに最適な送信アンテナの選択とは言えないが、より適した送信アンテナの選択を簡易に実施するのが本発明の主旨である。
【００２３】
次に、本発明の実施形態に係る無線通信システムの構成を図２に示す。同図において、本発明の実施形態に係る無線通信システムは、複数のアンテナ１−１、１−２、１−３と、送信側と受信側を切り替えるＴＤＤスイッチ（ＳＷ）２−１、２−２、２−３と、Ｒx無線部３−１、３−２、３−３と、チャネル推定回路４と、受信信号管理回路５と、信号検出回路６と、データ合成回路７と、伝達関数行列Ｈ管理回路８と、伝達関数加算回路９と、アンテナ選択回路１０と、ＭＩＭＯ多重管理回路１１と、データ分割回路１２と、プリアンブル付与回路１３−１、１３−２、１３−３と、変調回路１４−１、１４−２、１４−３と、セレクタ１５と、Ｔx無線部１６−１、１６−２、１６−３とを有している。
【００２４】
なお、プリアンブル付加回路１３−１〜１３−３、変調回路１４−１〜１４−３及びＴx無線部１６−１〜１６−３は本発明の既知信号送信手段に、Ｒx無線部３−１〜３−３は本発明の信号受信手段に、チャネル推定回路４は本発明のチャネル推定手段に、伝達関数加算回路９は本発明の伝達関数加算手段に、アンテナ選択回路１０は本発明のアンテナ選択手段に、セレクタ１５及びＴx無線部１６−１〜１６−３は本発明の信号送信手段に、それぞれ相当する。
【００２５】
上記構成において、ＴＤＤスイッチ２−１〜２−３により時分割で図上、上側の送信系と受信系とに切り替えられるようになっている。ＴＤＤスイッチ２−１〜２−３は、送信時のみ送信系に切り替わるように動作する。
受信時には、アンテナ１−１、１−２、１−３はそれぞれ、個別に受信信号を受信する。Ｒx無線部３−１、３−２、３−３を経由して受信した信号は、チャネル推定回路４に入力される。送信側で付与した所定のプリアンブル信号の受信状況から、チャネル推定回路４にて各送信アンテナと受信アンテナとの間の伝達関数を取得する。取得された各伝達関数の情報ｈi,jは、伝達関数（Ｈ）行列管理回路８で伝達関数Ｈとして管理される。
【００２６】
一方、受信信号のうちプリアンブル信号に後続するデータ信号は、１シンボル分ずつ受信信号管理回路５に入力される。受信信号管理回路５では、各アンテナの受信信号（ｒ1，ｒ2，ｒ3）を受信信号ベクトルＲxとして、一旦管理された後、信号検出回路６に入力される。信号検出回路６では、受信信号管理回路５から入力された受信信号（ｒ1，ｒ2，ｒ3）と伝達関数行列管理回路８から入力された伝達関数Ｈから送信信号ベクトルを推定し、データ合成回路７に出力する。
データ合成回路７では、信号検出回路６により全シンボル分に渡り復調されたデータは、各受信系統毎の信号が適宜合成されてもとのデータが再生され、出力される。
【００２７】
なお、無線通信は1対1の通信ばかりではなく、例えばひとつの基地局と複数の端末局間で通信を行うような場合もある。この様な場合には、仮に自局宛のデータを受信しなかった場合であっても、通信の相手となる無線局が送信した信号を受信した際に、これを利用して伝達関数行列管理回路８ではリターンリンク側の伝達関数行列を取得することが可能である。
そして、リターンリンク側の伝達関数行列を取得できた場合には、伝達関数加算回路９において、その行列の行ベクトル毎に各要素の絶対値の和ないしはべき乗和を計算する。この演算結果をもとに、この値の大きいアンテナの順番の情報を記憶しておく。また、伝達関数行列管理回路８で管理する伝達関数行列Ｈに基づいてＭＩＭＯ多重数管理回路１１は、次回に送信する際のＭＩＭＯ多重数を何らかの条件判断で決定する。なお、本発明はここでのMIMO多重数の決定方法には依存しないので、MIMO多重数の決定における伝達関数行列の扱い方については如何なるものを用いても構わない。
【００２８】
ここで、従来の場合と同様、本発明においても送信時には、ＭＩＭＯ多重数が送信アンテナ数（本実施形態では３本の例を示している）以下の多重数で運用される場合がある。例えば、ＭＩＭＯ多重数管理回路１１によりＭＩＭＯ多重数が“２”と判定された場合には、その判定出力に基づいてデータ分割回路１２は、入力されたデータを＃１系と＃２系の送信系統に分離して送出する。すなわち、＃１系の送信系統のデータは、プリアンブル付与回路１３−１に入力され、プリアンブルが付与された状態で変調回路１４−１に入力される。
【００２９】
変調回路１４−１では所定の変調を施し、変調された信号は、セレクタ１５に入力される。同様に、＃２系の送信系統のデータは、プリアンブル付与回路１３−２に入力され、プリアンブルが付与された状態で変調回路１４−２に入力される。変調回路１４−２では所定の変調を施し、変調された信号は、セレクタ１５に入力される。
セレクタ１５では、先に伝達関数加算回路９において求めた伝達関数行列の行ベクトル毎の各要素の絶対値の和ないしはべき乗和の値が大きい方からアンテナ２本分をアンテナ選択回路１０で選択し、＃１系および＃２系の出力先であるＴx無線部１６−１，１６−２をセレクタ１５で選択して変調回路１４−１、１４−２の出力信号を出力する。
【００３０】
この結果、変調回路１４−１の出力信号はセレクタ１５を介してＴx無線部１６−１に入力され、Ｔx無線部１６−１にて無線周波数に変換され、所定のレベルまで増幅されてＴＤＤスイッチ２−１を介してアンテナ１−１より送信される。
同様に、変調回路１４−２の出力信号はセレクタ１５を介してＴx無線部１６−２に入力され、Ｔx無線部１６−２にて無線周波数に変換され、所定のレベルまで増幅されてＴＤＤスイッチ２−２を介してアンテナ１−２より送信される。ここでの例は一例であり、セレクタ１５は別の組合わせのＴＸ無線部（例えば、１６−２と１６−３）を選択しても良い。
このように、ＭＩＭＯ多重管理回路１１により決定されたＭＩＭＯ多重数に応じてその送信系統に対応したアンテナからデータが送信される。
【００３１】
なお、本発明はOFDM変調方式と共に用いることも可能である。本発明の別の実施形態に係る無線通信システムの構成を図４に示す。同図において、本発明の実施形態に係る無線通信システムは、複数のアンテナ１−１、１−２、１−３と、送信側と受信側を切り替えるＴＤＤスイッチ（ＳＷ）２−１、２−２、２−３と、Ｒx無線部３−１、３−２、３−３と、チャネル推定回路４と、受信信号管理回路５と、信号検出回路６と、データ合成回路７と、伝達関数行列Ｈ管理回路８と、伝達関数加算回路９と、アンテナ選択回路１０と、ＭＩＭＯ多重管理回路１１と、データ分割回路１２と、プリアンブル付与回路１３−１、１３−２、１３−３と、変調回路１４−１、１４−２、１４−３と、セレクタ１５と、Ｔx無線部１６−１、１６−２、１６−３と、サブキャリア復調部17と、サブキャリア変調部１８−１、１８−２、１８−３を有している。
【００３２】
図２における実施例との構成上の差分は、受信信号管理回路５と信号検出回路６と伝達関数行列Ｈ管理回路８とによって構成される復調部が、K本のサブキャリア毎に並列に配置されたサブキャリア復調部１７として置き換えられている点、及びプリアンブル付与回路１３−１（同様に１３−２及び１３−３）と変調回路１４−１（同様に１４−２及び１４−３）とによって構成される変調部がK本（K>１、Kは整数）のサブキャリア毎に並列に配置されたサブキャリア変調部１８−１（同様に１８−２及び１８−３）として置き換えられている点である。また、データ分割回路１２の出力が3系統の信号系統に加えてサブキャリア毎に個別に分割して出力される点、およびデータ合成回路７への入力が、サブキャリア毎のサブキャリア復調部１７からサブキャリア毎に入力される点、チャネル推定回路４と伝達関数加算回路９とアンテナ選択回路１０とセレクタ１５はサブキャリア毎に個別の処理が可能となっている点も異なる。さらに、ＲＸ無線部（3−1〜３−３）では、FFT処理により受信信号をサブキャリア毎に分離する機能を併せて備えている。さらにＴＸ無線部（１６−１〜１６−３）では、ＩＦＦＴ処理により、各サブキャリアの送信信号を合成する機能を併せて備えている。
【００３３】
送受信時の動作を以下に説明する。受信時には、アンテナ１−１、１−２、１−３はそれぞれ、個別に受信信号を受信する。Ｒx無線部３−１、３−２、３−３を経由して受信した信号は、FFT処理により信号をサブキャリア毎に分離し、これをチャネル推定回路４に入力する。チャネル推定回路４では、各サブキャリア毎に送信側で付与した所定のプリアンブル信号の受信状況から各送信アンテナと受信アンテナとの間の伝達関数を取得する。取得された各伝達関数の情報ｈi,jは、サブキャリア毎にサブキャリア復調部１７に入力する。
【００３４】
一方、受信信号のうちプリアンブル信号に後続するデータ信号は、Ｒx無線部（３−１〜３−３）のFFT処理によりサブキャリア毎に分離し、チャネル推定回路４を経由して各サブキャリア毎および１シンボル分ずつサブキャリア復調部１７に入力される。図に示す様に、サブキャリア復調部１７はサブキャリア数ずつ、すなわちK面の復調処理から構成され、それぞれにおいて受信信号管理回路５、信号検出回路６、伝達関数行列管理回路８を備えている。各面の処理は、図２での説明と同様である。つまり、チャネル推定回路４から伝達関数（Ｈ）行列管理回路８に入力された該当サブキャリアの伝達関数Ｈはサブキャリア毎に管理され、またチャネル推定回路４から受信信号管理回路５に入力された信号は各アンテナの受信信号（ｒ1，ｒ2,ｒ3）を受信信号ベクトルＲxとして、サブキャリア毎に一旦管理された後、該当サブキャリアの信号検出回路６に入力され、受信信号管理回路５から入力された受信信号（ｒ1，ｒ2,ｒ3）と伝達関数行列管理回路８から入力された伝達関数Ｈから送信信号ベクトルを推定し、データ合成回路７に出力する。
データ合成回路７では、サブキャリア毎に信号検出回路６により復調されたデータに対し、各受信系統毎の信号及びサブキャリア毎の信号が適宜合成されてもとのデータが再生され、出力される。
【００３５】
また、（自局宛以外のデータも含めて）通信の相手局が送信した信号からリターンリンク側の伝達関数行列を取得できた場合には、サブキャリア毎に伝達関数加算回路９において伝達関数行列の行ベクトル毎に各要素の絶対値の和ないしはべき乗和を計算する。この演算結果より、この値の大きいアンテナの順番の情報をサブキャリア毎に記憶しておく。また、各サブキャリアの伝達関数行列管理回路８で管理する全サブキャリアの伝達関数行列Ｈをもとに、ＭＩＭＯ多重数管理回路１１は次回に送信する際のＭＩＭＯ多重数を何らかの条件判断で決定する。なお、本発明はここでのMIMO多重数の決定方法には依存しないので、MIMO多重数の決定における各サブキャリアの伝達関数行列の扱い方については如何なるものを用いても構わない。
【００３６】
次に、送信時の処理について説明する。送信時には、ＭＩＭＯ多重数が送信アンテナ数（本実施形態では３本の例を示している）以下の多重数で運用される場合がある。例えば、ＭＩＭＯ多重数管理回路１１によりＭＩＭＯ多重数が“２”と判定された場合には、その判定出力に基づいてデータ分割回路１２は、入力されたデータを＃１系と＃２系の送信系統に分離してサブキャリア変調部１８−１、１８−２に出力する。図に示す様に、サブキャリア変調部１８−１、１８−２、１８−３は、サブキャリア数ずつ、すなわち各信号系列毎にK面の変調処理から構成され、それぞれにおいてプリアンブル付与回路１３−１（及び１３−２、１３−３）、変調回路１４−１（及び１４−２、１４−３）を備えている。各面の処理は、図２での説明と同様である。つまり、あるサブキャリアの＃１系の送信系統のデータは、プリアンブル付与回路１３−１に入力され、プリアンブルが付与された状態で変調回路１４−１に入力される。
【００３７】
変調回路１４−１では所定の変調を施し、変調された信号は、セレクタ１５に入力される。同様に、あるサブキャリアの＃２系の送信系統のデータは、プリアンブル付与回路１３−２に入力され、プリアンブルが付与された状態で変調回路１４−２に入力される。変調回路１４−２では所定の変調を施し、変調された信号は、セレクタ１５に入力される。全てのサブキャリアに対して、同様の処理を行う。
【００３８】
セレクタ１５では、各サブキャリア毎に、先に伝達関数加算回路９において求めた伝達関数行列の行列の行ベクトル毎に各要素の絶対値の和ないしはべき乗和の値が大きい方からアンテナ２本分をアンテナ選択回路１０で選択し、＃１系および＃２系の出力先であるＴx無線部１６−１，１６−２、１６−３を選択して変調回路１４−１、１４−２の出力信号を出力する。この際、セレクタ１５での選択内容はサブキャリア毎に独立であるため、あるサブキャリアはTx無線部１６−１，１６−２を選び、別のあるサブキャリアはTx無線部１６−１，１６−３を選び、さらに別のあるサブキャリアはTx無線部１６−２，１６−３を選ぶということがある。この様にして選ばれたTx無線部１６−１，１６−２、１６−３では、IFFT処理等により全サブキャリアに対する無線信号を生成し、Tx無線部１６−１の信号はTDDスイッチ２−１およびアンテナ１−１を、Tx無線部１６−２の信号はTDDスイッチ２−２およびアンテナ１−２を、Tx無線部１６−３の信号はTDDスイッチ２−３およびアンテナ１−３を経由してOFDM変調信号が送信される。
【００３９】
このように、ＭＩＭＯ多重管理回路１１により決定されたＭＩＭＯ多重数に応じて、各サブキャリア毎にその送信系統に対応したアンテナからデータが送信される。
なお、以上の説明では伝達関数加算回路９およびアンテナ選択回路１０は、サブキャリア復調部１７の外部に配置されていたが、各サブキャリア毎のサブキャリア復調部１７内に配置されても構わない。上記の説明の様にサブキャリア復調部１７の外部に配置された場合には、機能ブロックとしては1つの回路として表記しているが、このひとつの回路（伝達関数加算回路９およびアンテナ選択回路１０）の中にそれぞれのサブキャリア毎に個別に加算処理やアンテナ選択処理を行う機能を備えることになる。また補足であるが、図４においてチャネル推定回路４とＲx無線部（３−１〜３−３）、セレクタ１５とTx無線部（１６−１〜１６−３）の間には、１本の矢印が記されているが、これは複数のサブキャリアの情報をまとめて１本で表現したものである。
【００４０】
以上に説明したように、本発明の実施形態によれば、チャネル推定手段により、受信した前記既知のパターンの信号の受信状態から他局から自局方向へのリターンリンク上における他局の全てまたは一部のアンテナと自局の各アンテナの間の伝達関数を求め、伝達関数加算手段により他局の第jアンテナと自局の第iアンテナの間の前記リターンリンクにおける伝達関数をhi,jとした際に、自局のアンテナ番号i毎に他局が無線パケットの送信に用いた全てのアンテナ番号ｊに対して前記伝達関数hi,jの絶対値または絶対値のべき乗値を加算し、自局の備えるアンテナの本数またはそれ以下の整数N'に対し、N'系統の信号系列を空間上で多重して送信する際に、アンテナ選択手段により前記加算値が大きい方からN'本のアンテナを選択するようにしたので、送信アンテナの選択を簡易に取得可能な情報をもとに判定できるので、短時間で受信局側で受信特性が良好となる最適な送信アンテナを選択することができる。
【図面の簡単な説明】
【００４１】
【図１】ＭＩＭＯ通信機能を有する無線通信システムにおける送信側におけるリターンリンクとフォワードリンクの状態を示す説明図。
【図２】本発明の一実施形態に係る無線通信システムの構成を示すブロック図。
【図３】従来のＭＩＭＯ通信機能を有する無線通信システムの構成を示すブロック図。
【図４】本発明の別の一実施形態に係るOFDM変調方式を用いた無線通信システムの構成を示すブロック図。
【符号の説明】
【００４２】
１−１〜１−３…アンテナ、２−１〜２−３…ＴＤＤスイッチ（ＳＷ）、３−１〜３…Ｒx無線部、４…チャネル推定回路（チャネル推定手段）、５…受信信号管理回路、６…信号検出回路、７…データ合成回路、８…伝達関数行列管理回路、９…伝達関数加算回路（伝達関数加算手段）、１０…アンテナ選択回路（アンテナ選択手段）、１１…ＭＩＭＯ多重数管理回路、１２…データ分割回路、１３−１〜１３−３…プリアンブル付与回路、１４−１〜１４−３…変調回路、１５…セレクタ、１６−１〜１６−３…Ｔx無線部、１７…サブキャリア復調部、１８−１〜１８−３…サブキャリア変調部、１９…信号変換回路
【図１】
0004421524.tif 000002
【図２】
0004421524.tif 000003
【図３】
0004421524.tif 000004
【図４】
0004421524.tif 000005